(57)【要約】  制御コードと可変利得増幅器（１３）（１４）の利得との関係を記憶しているテーブル部（２１）と、可変利得増幅器（１３）（１４）の利得を設定する利得制御部（２２）と、信号合成部（１５）の出力信号の振幅及び位相を検出する振幅位相検出器（２５）と、利得制御部（２２）により利得が設定される毎に、当該利得に対応する制御コードと振幅位相検出器（２５）により検出された振幅及び位相との組を記録する振幅位相記録部（２６）とを設け、テーブル校正部（２７）が、振幅位相記録部（２６）の記録内容からベクトル合成移相部（１）の移相特性を特定し、その移相特性を用いて、テーブル部（２１）に記録されている制御コードと利得の関係を校正する。
2017149699.tif 000002
【特許請求の範囲】
【請求項１】
移相量に対応する制御コードとベクトル合成型移相器に実装されている可変利得増幅器の利得との関係を記憶しているテーブル部と、
前記制御コードに対応する利得を前記可変利得増幅器に設定する利得制御部と、
前記ベクトル合成型移相器の出力信号の振幅及び位相を検出する検出器と、
前記利得制御部により利得が設定される毎に、当該利得に対応する制御コードと、前記検出器により検出された振幅及び位相との組を記録する記録部と、
前記記録部の記録内容から前記ベクトル合成型移相器の移相特性を特定し、前記移相特性を用いて、前記テーブル部に記録されている制御コードと利得の関係を校正する校正部と
を備えた移相精度校正回路。
【請求項２】
入力信号から互いに直交している第１の信号と第２の信号を生成する直交信号生成部と、
前記直交信号生成部により生成された第１の信号を増幅する第１の可変利得増幅器と、
前記直交信号生成部により生成された第２の信号を増幅する第２の可変利得増幅器と、
前記第１の可変利得増幅器により増幅された第１の信号と前記第２の可変利得増幅器により増幅された第２の信号とを合成して、前記第１の信号と前記第２の信号の合成信号を出力する信号合成部とからなるベクトル合成移相部と、
移相量に対応する制御コードと前記第１及び第２の可変利得増幅器の利得との関係を記憶しているテーブル部と、
前記制御コードに対応する利得を前記第１及び第２の可変利得増幅器に設定する利得制御部と、
前記信号合成部から出力された合成信号の振幅及び位相を検出する検出器と、
前記利得制御部により利得が設定される毎に、当該利得に対応する制御コードと、前記検出器により検出された振幅及び位相との組を記録する記録部と、
前記記録部の記録内容から前記ベクトル合成移相部の移相特性を特定し、前記移相特性を用いて、前記テーブル部に記録されている制御コードと利得の関係を校正する校正部と
を備えたベクトル合成型移相器。
【請求項３】
前記利得制御部は、前記第１及び第２の可変利得増幅器の利得として、複数の利得を順番に設定し、
前記校正部は、前記記録部の記録内容から前記第１の信号と前記第２の信号との移相誤差を算出し、前記移相誤差と前記記録部の記録内容から前記ベクトル合成移相部の移相特性を特定することを特徴とする請求項２記載のベクトル合成型移相器。
【請求項４】
入力信号から互いに直交している第１の信号と第２の信号を生成する直交信号生成部と、
前記直交信号生成部により生成された第１の信号を増幅する第１の可変利得増幅器と、
前記直交信号生成部により生成された第２の信号を増幅する第２の可変利得増幅器と、
前記第１の可変利得増幅器により増幅された第１の信号と前記第２の可変利得増幅器により増幅された第２の信号とを合成して、前記第１の信号と前記第２の信号の合成信号を出力する信号合成部とからなるベクトル合成移相部と、
移相量に対応する制御コードと前記第１及び第２の可変利得増幅器の利得との関係を記憶しているテーブル部と、
前記制御コードに対応する利得を前記第１及び第２の可変利得増幅器に設定する利得制御部と、
前記信号合成部から出力された合成信号の振幅及び位相を検出する検出器と、
前記利得制御部により利得が設定される毎に、当該利得に対応する制御コードと、前記検出器により検出された振幅及び位相との組を記録する記録部と、
前記記録部の記録内容から前記ベクトル合成移相部の移相特性を特定し、前記移相特性を用いて、前記テーブル部に記録されている制御コードと利得の関係を校正する校正部と
を備えたベクトル合成型移相器を実装している無線通信機。
【発明の詳細な説明】
【技術分野】
【０００１】
この発明は、ベクトル合成型移相器の移相精度を校正する移相精度校正回路と、その移相精度校正回路を実装しているベクトル合成型移相器と、そのベクトル合成型移相器を実装している無線通信機とに関するものである。
【背景技術】
【０００２】
例えば、フェーズドアレイアンテナを実装しているレーダ装置などでは、ビーム方向を可変するために、高周波信号の位相をシフトすることが可能な移相器を搭載している必要がある。
高周波信号の位相をシフトすることが可能な移相器として、ベクトル合成型移相器が知られている。【０００３】
ベクトル合成型移相器は、一般的に、高周波信号から互いに直交しているＩ（Ｉｎ−ｐｈａｓｅ）信号とＱ（Ｑｕａｄｒａｔｕｒｅ）信号を生成する直交信号生成部と、直交信号生成部により生成されたＩ信号を増幅する第１の可変利得増幅器と、直交信号生成部により生成されたＱ信号を増幅する第２の可変利得増幅器と、第１の可変利得増幅器により増幅されたＩ信号と第２の可変利得増幅器により増幅されたＱ信号とを合成して、そのＩ信号とＱ信号の合成信号を出力する信号合成部とを備えている。
また、ベクトル合成型移相器は、移相量と第１及び第２の可変利得増幅器の利得との関係を記憶しているテーブル部と、そのテーブルを参照して、外部から与えられた移相量に対応する利得を取得し、第１及び第２の可変利得増幅器の利得を取得した利得に設定する利得制御部とを備えている。【０００４】
ここで、移相精度が高いベクトル合成型移相器は、直交信号生成部により生成されたＩ信号とＱ信号の位相差が９０°からずれておらず、Ｉ信号とＱ信号の直交性が保たれている。また、Ｉ信号とＱ信号の振幅が同じ振幅に揃っている。
直交信号生成部は、一般的に、抵抗と容量からなるＲＣ型ポリフェーズフィルタで実現されることが多いが、例えば、ＲＣ型ポリフェーズフィルタの製造ばらつきの影響で、Ｉ信号とＱ信号の直交誤差や振幅誤差が生じている場合、移相精度が低下するため、その製造ばらつきの影響を除く必要がある。【０００５】
以下の非特許文献１には、ＲＣ型ポリフェーズフィルタの容量として用いることが可能な複数のバラクタを用意し、Ｉ信号とＱ信号の直交誤差や振幅誤差に応じて、複数のバラクタの中から、ＲＣ型ポリフェーズフィルタに用いるバラクタを選択することで、製造ばらつきの影響を除く校正方式が開示されている。
【先行技術文献】
【非特許文献】
【０００６】
【非特許文献１】H. Kodama, H. Ishikawa, N. Oshima, and A. Tanaka, “A 1.3-degree I/Q phase error, 7.1 - 8.7-GHz LO generator with single-stage digital tuning polyphase filter,” IEEE Symp. VLSI Circuits, Dig. Tech. Pap., pp. 145-146, 2010.
【発明の概要】
【発明が解決しようとする課題】
【０００７】
従来のベクトル合成型移相器は以上のように構成されているので、複数のバラクタの中から、ＲＣ型ポリフェーズフィルタに用いるバラクタを選択することで、製造ばらつきの影響を除く校正方式を用いれば、ある程度の移相精度は改善することができる。しかし、バラクタは、一般的に無視することができない寄生直列抵抗成分Ｒｐを有しているため、ＲＣ型ポリフェーズフィルタの伝達関数は、下記の式（１）のように表される。
2017149699.tif 000003
式（１）において、Ｃ１はバラクタの容量成分、Ｒ１はＲＣ型ポリフェーズフィルタにおける抵抗の抵抗値、ｓはラプラス演算子である。ΔＶＩｏｕｔは、差動のＩ信号である＋Ｉ信号と−Ｉ信号との差分、ΔＶＱｏｕｔは、差動のＱ信号である＋Ｑ信号と−Ｑ信号との差分である。
Ｉ信号とＱ信号の直交誤差を解消することが可能な容量成分Ｃ１を有するバラクタを選択した場合、式（１）の分子と分母が一致することがなく、Ｉ信号とＱ信号の振幅誤差が生じる。
したがって、複数のバラクタの中から、ＲＣ型ポリフェーズフィルタに用いるバラクタを選択する校正方式では、Ｉ信号とＱ信号の振幅誤差と直交誤差を同時に解消することができず、移相精度を十分に改善することができないという課題があった。【０００８】
この発明は上記のような課題を解決するためになされたもので、ベクトル合成型移相器の移相精度を改善することができる移相精度校正回路を得ることを目的とする。
また、この発明は、その移相精度校正回路を実装しているベクトル合成型移相器と、そのベクトル合成型移相器を実装している無線通信機とを得ることを目的とする。
【課題を解決するための手段】
【０００９】
この発明に係る移相精度校正回路は、移相量に対応する制御コードとベクトル合成型移相器に実装されている可変利得増幅器の利得との関係を記憶しているテーブル部と、制御コードに対応する利得を可変利得増幅器に設定する利得制御部と、ベクトル合成型移相器の出力信号の振幅及び位相を検出する検出器と、利得制御部により利得が設定される毎に、当該利得に対応する制御コードと検出器により検出された振幅及び位相との組を記録する記録部とを設け、校正部が、記録部の記録内容からベクトル合成型移相器の移相特性を特定し、その移相特性を用いて、テーブル部に記録されている制御コードと利得の関係を校正するようにしたものである。
【発明の効果】
【００１０】
この発明によれば、校正部が、記録部の記録内容からベクトル合成型移相器の移相特性を特定し、その移相特性を用いて、テーブル部に記録されている制御コードと利得の関係を校正するように構成したので、ベクトル合成型移相器の移相精度を改善することができる効果がある。
【図面の簡単な説明】
【００１１】
【図１】この発明の実施の形態１による移相精度校正回路を実装しているベクトル合成型移相器を示す構成図である。
【図２】この発明の実施の形態１による移相精度校正回路の処理内容を示すフローチャートである。
【図３】ベクトル合成型移相器の移相誤差を示すＩＱ平面図である。
【図４】テーブル部２１のテーブルに記録されている内容を示す説明図である。
【図５】テーブル校正部２７により利得が校正される前後の移相量の特性を示す説明図である。
【発明を実施するための形態】
【００１２】
以下、この発明をより詳細に説明するために、この発明を実施するための形態について、添付の図面にしたがって説明する。
【００１３】
実施の形態１．
図１はこの発明の実施の形態１による移相精度校正回路を実装しているベクトル合成型移相器を示す構成図である。
図１のベクトル合成型移相器は、例えば、無線送信機や無線受信機などの無線通信機に実装されるものであり、ベクトル合成型移相器により位相がシフトされたＲＦ（ｒａｄｉｏ  ｆｒｅｑｕｅｎｃｙ）信号が、無線通信機によって送信される場合や、無線通信機によって受信されたＲＦ信号が、ベクトル合成型移相器によって位相がシフトされる場合などが想定される。
図１において、ベクトル合成型移相器は、ベクトル合成移相部１と移相精度校正回路２からなる。
【００１４】
ベクトル合成移相部１は直交信号生成部１１とベクトル信号合成器１２からなり、入力信号である差動のＲＦ信号を入力すると、そのＲＦ信号から互いに直交しているＩ（Ｉｎ−ｐｈａｓｅ）信号とＱ（Ｑｕａｄｒａｔｕｒｅ）信号を生成し、そのＩ信号とＱ信号を増幅したのち、増幅後のＩ信号とＱ信号をベクトル合成して、その合成信号を出力する。
移相精度校正回路２はテーブル部２１、利得制御部２２、周波数変換器２３、アナログデジタル変換器（以下、「Ａ／Ｄ変換器」と称する）２４、振幅位相検出器２５、振幅位相記録部２６及びテーブル校正部２７からなり、外部から与えられる制御コードＷｃにしたがってベクトル信号合成器１２の可変利得増幅器１３，１４の利得ＧＩ（Ｗｃ），ＧＱ（Ｗｃ）を制御するとともに、制御コードＷｃと可変利得増幅器１３，１４の利得ＧＩ（Ｗｃ），ＧＱ（Ｗｃ）との関係を校正する。制御コードＷｃは０以上の整数値である。
【００１５】
この実施の形態１では、ベクトル合成型移相器がＮビットの移相分解能を有するものとし、移相の切替幅は３６０°／２Ｎである。このため、ベクトル合成型移相器の移相量は、（３６０°／２Ｎ）×Ｗｃで表される。
例えば、Ｗｃ＝０であれば移相量は０°、Ｗｃ＝２Ｎ−２であれば移相量は９０°、Ｗｃ＝２Ｎ−１であれば移相量は１８０°，Ｗｃ＝２Ｎ−１＋２Ｎ−２であれば移相量は２７０°である。
可変利得増幅器１３，１４の利得ＧＩ（Ｗｃ），ＧＱ（Ｗｃ）は、制御コードＷｃにしたがって０〜１の値に設定される。
この実施の形態１では、ベクトル合成型移相器の入力信号がＲＦ信号である例を説明するが、入力信号がＲＦ信号に限るものではなく、無線周波数以外の周波数の信号が入力されるものであってもよい。
【００１６】
直交信号生成部１１は例えば抵抗と容量からなるＲＣ型ポリフェーズフィルタで実現され、入力信号である差動のＲＦ信号から互いに直交しているＩ信号（第１の信号）とＱ信号（第２の信号）を生成し、差動のＩ信号を可変利得増幅器１３に出力して、差動のＱ信号を可変利得増幅器１４に出力する。
ベクトル信号合成器１２は可変利得増幅器１３，１４及び信号合成部１５からなる。
可変利得増幅器１３は利得制御部２２によって設定された利得ＧＩ（Ｗｃ）で、直交信号生成部１１から出力された差動のＩ信号を増幅し、増幅後のＩ信号を信号合成部１５に出力する第１の可変利得増幅器である。
可変利得増幅器１４は利得制御部２２によって設定された利得ＧＱ（Ｗｃ）で、直交信号生成部１１から出力された差動のＱ信号を増幅し、増幅後のＱ信号を信号合成部１５に出力する第２の可変利得増幅器である。
信号合成部１５は可変利得増幅器１３により増幅された差動のＩ信号と、可変利得増幅器１４により増幅された差動のＱ信号とを合成して、そのＩ信号とＱ信号の合成信号を出力する。
【００１７】
テーブル部２１は例えばＲＡＭ（Ｒａｎｄｏｍ  Ａｃｃｅｓｓ  Ｍｅｍｏｒｙ）あるいはハードディスクなどの記憶装置で実現されるものであり、移相量に対応する制御コードＷｃと、可変利得増幅器１３，１４から出力されるＩ信号，Ｑ信号の符号を示す符号信号ＰＩ，ＰＱ及び可変利得増幅器１３，１４の利得ＧＩ，ＧＱとの関係を示すテーブルを記憶している。
【００１８】
利得制御部２２は例えばＣＰＵ（Ｃｅｎｔｒａｌ  Ｐｒｏｃｅｓｓｉｎｇ  Ｕｎｉｔ）を実装している半導体集積回路、あるいは、ワンチップマイコンなどで実現されるものである。
利得制御部２２はテーブル部２１に記憶されているテーブルを校正する際には、可変利得増幅器１３，１４の利得ＧＩ（Ｗｃ），ＧＱ（Ｗｃ）として、複数の利得を順番に設定する。
例えば、可変利得増幅器１３，１４の利得ＧＩ（Ｗｃ），ＧＱ（Ｗｃ）として、０度の移相量に対応する利得ＧＩ（Ｗｃ＝０），ＧＱ（Ｗｃ＝０）、９０度の移相量に対応する利得ＧＩ（Ｗｃ＝２Ｎ−２），ＧＱ（Ｗｃ＝２Ｎ−２）、１８０度の移相量に対応する利得ＧＩ（Ｗｃ＝２Ｎ−１），ＧＱ（Ｗｃ＝２Ｎ−１）、２７０度の移相量に対応する利得ＧＩ（Ｗｃ＝２Ｎ−１＋２Ｎ−２），ＧＱ（Ｗｃ＝２Ｎ−１＋２Ｎ−２）を順番に設定する。
利得制御部２２はＩ信号とＱ信号の合成信号を出力する実際の使用時には、テーブル部２１に記憶されているテーブルから、制御コードＷｃに対応する符号信号ＰＩ，ＰＱと利得ＧＩ（Ｗｃ），ＧＱ（Ｗｃ）を取得して、その符号信号ＰＩ及び利得ＧＩ（Ｗｃ）を可変利得増幅器１３に設定し、その符号信号ＰＱ及び利得ＧＱ（Ｗｃ）を可変利得増幅器１４に設定する。
【００１９】
周波数変換器２３はベクトル合成移相部１の出力信号、即ち、信号合成部１５から出力された合成信号の周波数を例えば中間周波数などにダウンコンバートする。
Ａ／Ｄ変換器２４は周波数変換器２３により周波数が変換された合成信号をデジタル信号に変換して、そのデジタル信号を振幅位相検出器２５に出力する。
振幅位相検出器２５はＡ／Ｄ変換器２４から出力されたデジタル信号の振幅及び位相を検出する検出器である。
振幅位相記録部２６は例えばＲＡＭあるいはハードディスクなどの記憶装置で実現されるものであり、利得制御部２２により利得が制御される毎に、当該利得に対応する制御コードＷｃと、振幅位相検出器２５により検出された振幅及び位相との組を記録する記録部である。
【００２０】
テーブル校正部２７は例えばＣＰＵを実装している半導体集積回路、あるいは、ワンチップマイコンなどで実現されるものである。
テーブル校正部２７は振幅位相記録部２６の記録内容からベクトル合成移相部１の移相特性ａｒｇＯＵＴを特定し、その移相特性ａｒｇＯＵＴを用いて、テーブル部２１に記録されている制御コードＷｃと、利得ＧＩ（Ｗｃ），ＧＱ（Ｗｃ）との関係を校正する校正部である。
【００２１】
図２はこの発明の実施の形態１による移相精度校正回路の処理内容を示すフローチャートである。
図３はベクトル合成型移相器の移相誤差を示すＩＱ平面図である。
図３のＩＱ平面図は、符号信号ＰＩ，ＰＱの値で区別される各象限での移相誤差を示している。
図３では、Ｉ信号を基準としており、第１象限となるＰＩ＝１，ＰＱ＝１の場合、Ｉ信号とＱ信号の移相誤差がβである。
また、第２象限となるＰＩ＝−１，ＰＱ＝１の場合、Ｉ信号と−Ｉ信号の移相誤差がαである。−Ｉ信号はＩ信号の反転である。
また、第３象限となるＰＩ＝−１，ＰＱ＝−１の場合、Ｉ信号と−Ｑ信号の移相誤差がγである。−Ｑ信号はＱ信号の反転である。
【００２２】
次に動作について説明する。
最初に、移相精度校正回路２が、テーブル部２１のテーブルに記録されている制御コードＷｃと、利得ＧＩ（Ｗｃ），ＧＱ（Ｗｃ）との関係を校正する際の処理内容を説明する。
この校正処理は、例えば、ベクトル合成型移相器の出荷時や電源投入時などで実施されることが想定されるが、この校正処理の実施時期は任意である。
【００２３】
移相精度校正回路２のテーブル部２１には、図４に示すようなテーブルが記憶されている。
図４はテーブル部２１のテーブルに記録されている内容を示す説明図である。
このテーブルには、移相量に対応する制御コードＷｃと、可変利得増幅器１３，１４から出力されるＩ信号，Ｑ信号の符号を示す符号信号ＰＩ，ＰＱ及び可変利得増幅器１３，１４の利得ＧＩ，ＧＱとが記録されている。
【００２４】
まず、移相精度校正回路２の利得制御部２２は、テーブル部２１に記憶されているテーブルを参照して、０°の移相量に対応する制御コードＷｃと組になっている符号信号ＰＩ，ＰＱ及び利得ＧＩ，ＧＱを取得する。
即ち、利得制御部２２は、０°の移相量に対応する制御コードＷｃは０であるため、Ｗｃ＝０に対応している（ＰＩ，ＰＱ）＝（１，１）と、（ＧＩ（０），ＧＱ（０））＝（１，０）とを取得する。
利得制御部２２は、符号信号（ＰＩ，ＰＱ）＝（１，１）と、利得（ＧＩ（０），ＧＱ（０））＝（１，０）とを取得すると、符号信号ＰＩ＝１と利得ＧＩ（０）＝１を可変利得増幅器１３に設定し、符号信号ＰＱ＝１と利得ＧＱ（０）＝０を可変利得増幅器１４に設定する（図２のステップＳＴ１）。また、利得制御部２２は、制御コードＷｃ＝０を振幅位相記録部２６に出力する。
なお、利得Ｇ＝１は、可変利得増幅器の最大利得である。利得Ｇ＝０は、可変利得増幅器の利得が０で、信号出力が無いことを意味する。
【００２５】
ベクトル合成移相部１の直交信号生成部１１は、入力信号である差動のＲＦ信号から互いに直交しているＩ信号とＱ信号を生成し、差動のＩ信号を可変利得増幅器１３に出力して、差動のＱ信号を可変利得増幅器１４に出力する。
可変利得増幅器１３は、直交信号生成部１１から差動のＩ信号を受けると、利得制御部２２によって設定された符号信号がＰＩ＝１で、利得ＧＩ（Ｗｃ）がＧＩ（０）＝１であるため、そのＩ信号の符号を反転せずに、そのＩ信号を最大利得で増幅し、増幅後のＩ信号を信号合成部１５に出力する。
可変利得増幅器１４は、利得制御部２２によって設定された利得ＧＱ（Ｗｃ）がＧＱ（０）＝０であるため、直交信号生成部１１から差動のＱ信号を受けても、Ｑ信号を信号合成部１５に出力しない。
信号合成部１５は、可変利得増幅器１４から差動のＱ信号が出力されないため、可変利得増幅器１３から増幅された差動のＩ信号を受けると、差動のＩ信号を合成信号として出力する。
【００２６】
移相精度校正回路２の周波数変換器２３は、信号合成部１５から合成信号を受けると、その周波数を例えば中間周波数などにダウンコンバートする。
Ａ／Ｄ変換器２４は、周波数変換器２３により周波数が変換された合成信号をデジタル信号に変換して、そのデジタル信号を振幅位相検出器２５に出力する。
振幅位相検出器２５は、Ａ／Ｄ変換器２４からデジタル信号を受けると、そのデジタル信号の振幅ＡＩを検出するとともに、そのデジタル信号の位相θＩを検出する。
振幅位相記録部２６は、振幅位相検出器２５がデジタル信号の振幅ＡＩ及び位相θＩを検出すると、利得制御部２２から出力された制御コードＷｃ＝０と、その振幅ＡＩ及び位相θＩとの組を記録する（ステップＳＴ２）。
以下、制御コードＷｃ＝０のときの振幅ＡＩ及び位相θＩを、必要に応じて、振幅ＡＩ（０）及び位相θＩ（０）のように表記することがある。
【００２７】
次に、移相精度校正回路２の利得制御部２２は、テーブル部２１に記憶されているテーブルを参照して、９０°の移相量に対応する制御コードＷｃと組になっている符号信号ＰＩ，ＰＱ及び利得ＧＩ，ＧＱを取得する。
即ち、利得制御部２２は、９０°の移相量に対応する制御コードＷｃは２Ｎ−２であるため、Ｗｃ＝２Ｎ−２に対応している（ＰＩ，ＰＱ）＝（−１，１）と、（ＧＩ（２Ｎ−２），ＧＱ（２Ｎ−２））＝（０，１）とを取得する。
利得制御部２２は、符号信号（ＰＩ，ＰＱ）＝（−１，１）と、利得（ＧＩ（２Ｎ−２），ＧＱ（２Ｎ−２））＝（０，１）とを取得すると、符号信号ＰＩ＝−１と利得ＧＩ（２Ｎ−２）＝０を可変利得増幅器１３に設定し、符号信号ＰＱ＝１と利得ＧＱ（２Ｎ−２）＝１を可変利得増幅器１４に設定する（図２のステップＳＴ３）。また、利得制御部２２は、制御コードＷｃ＝２Ｎ−２を振幅位相記録部２６に出力する。
【００２８】
ベクトル合成移相部１の直交信号生成部１１は、入力信号である差動のＲＦ信号から互いに直交しているＩ信号とＱ信号を生成し、差動のＩ信号を可変利得増幅器１３に出力して、差動のＱ信号を可変利得増幅器１４に出力する。
可変利得増幅器１３は、利得制御部２２によって設定された利得ＧＩ（Ｗｃ）がＧＩ（２Ｎ−２）＝０であるため、直交信号生成部１１から差動のＩ信号を受けても、Ｉ信号を信号合成部１５に出力しない。
可変利得増幅器１４は、直交信号生成部１１から差動のＱ信号を受けると、利得制御部２２によって設定された符号信号がＰＱ＝１で、利得ＧＱ（Ｗｃ）がＧＱ（２Ｎ−２）＝１であるため、そのＱ信号の符号を反転せずに、そのＱ信号を最大利得で増幅し、増幅後のＱ信号を信号合成部１５に出力する。
信号合成部１５は、可変利得増幅器１３から差動のＩ信号が出力されないため、可変利得増幅器１４から増幅された差動のＱ信号を受けると、差動のＱ信号を合成信号として出力する。
【００２９】
移相精度校正回路２の周波数変換器２３は、信号合成部１５から合成信号を受けると、その周波数を例えば中間周波数などにダウンコンバートする。
Ａ／Ｄ変換器２４は、周波数変換器２３により周波数が変換された合成信号をデジタル信号に変換して、そのデジタル信号を振幅位相検出器２５に出力する。
振幅位相検出器２５は、Ａ／Ｄ変換器２４からデジタル信号を受けると、そのデジタル信号の振幅ＡＱを検出するとともに、そのデジタル信号の位相θＱを検出する。
振幅位相記録部２６は、振幅位相検出器２５がデジタル信号の振幅ＡＱ及び位相θＱを検出すると、利得制御部２２から出力された制御コードＷｃ＝２Ｎ−２と、その振幅ＡＱ及び位相θＱとの組を記録する（ステップＳＴ４）。
以下、制御コードＷｃ＝２Ｎ−２のときの振幅ＡＱ及び位相θＱを、必要に応じて、振幅ＡＱ（２Ｎ−２）及び位相θＱ（２Ｎ−２）のように表記することがある。
【００３０】
テーブル校正部２７は、振幅位相記録部２６に記録されている移相量が０°のときの振幅ＡＩ（０）と、移相量が９０°のときの振幅ＡＱ（２Ｎ−２）とから、下記の式（２）に示すように、振幅ＡＩ（０）に対する振幅ＡＱ（２Ｎ−２）の振幅比ＡＱ／Ｉ１を算出して、その振幅比ＡＱ／Ｉ１を振幅位相記録部２６に記録する。
2017149699.tif 000004
また、テーブル校正部２７は、振幅位相記録部２６に記録されている移相量が０°のときの位相θＩ（０）と、移相量が９０°のときの位相θＱ（２Ｎ−２）とから、下記の式（３）に示すように、その位相θＩ（０）と位相θＱ（２Ｎ−２）の位相差Δθ１を算出する。
Δθ１＝｜θＩ（０）−θＱ（２Ｎ−２）｜      （３）
テーブル校正部２７は、位相差Δθ１を算出すると、下記の式（４）に示すように、その位相差Δθ１の理想値９０°からの誤差、即ち、図３に示している移相誤差βを算出して、その移相誤差βを振幅位相記録部２６に記録する（図２のステップＳＴ５）。
β＝Δθ１−９０                              （４）
【００３１】
次に、移相精度校正回路２の利得制御部２２は、テーブル部２１に記憶されているテーブルを参照して、１８０°の移相量に対応する制御コードＷｃと組になっている符号信号ＰＩ，ＰＱ及び利得ＧＩ，ＧＱを取得する。
即ち、利得制御部２２は、１８０°の移相量に対応する制御コードＷｃは２Ｎ−１であるため、Ｗｃ＝２Ｎ−１に対応している（ＰＩ，ＰＱ）＝（１，−１）と、（ＧＩ（２Ｎ−１），ＧＱ（２Ｎ−１））＝（１，０）とを取得する。
利得制御部２２は、符号信号（ＰＩ，ＰＱ）＝（１，−１）と、利得（ＧＩ（２Ｎ−１），ＧＱ（２Ｎ−１））＝（１，０）とを取得すると、符号信号ＰＩ＝１と利得ＧＩ（２Ｎ−１）＝１を可変利得増幅器１３に設定し、符号信号ＰＱ＝−１と利得ＧＱ（２Ｎ−１）＝０を可変利得増幅器１４に設定する（図２のステップＳＴ６）。また、利得制御部２２は、制御コードＷｃ＝２Ｎ−１を振幅位相記録部２６に出力する。
【００３２】
ベクトル合成移相部１の直交信号生成部１１は、入力信号である差動のＲＦ信号から互いに直交しているＩ信号とＱ信号を生成し、差動のＩ信号を可変利得増幅器１３に出力して、差動のＱ信号を可変利得増幅器１４に出力する。
可変利得増幅器１３は、直交信号生成部１１から差動のＩ信号を受けると、利得制御部２２によって設定された符号信号がＰＩ＝１で、利得ＧＩ（Ｗｃ）がＧＩ（２Ｎ−１）＝１であるため、そのＩ信号の符号を反転せずに、そのＩ信号を最大利得で増幅し、増幅後のＩ信号を信号合成部１５に出力する。
可変利得増幅器１４は、利得制御部２２によって設定された利得ＧＱ（Ｗｃ）がＧＱ（２Ｎ−１）＝０であるため、直交信号生成部１１から差動のＱ信号を受けても、Ｑ信号を信号合成部１５に出力しない。
信号合成部１５は、可変利得増幅器１４から差動のＱ信号が出力されないため、可変利得増幅器１３から増幅された差動のＩ信号を受けると、差動のＩ信号を合成信号として出力する。
【００３３】
移相精度校正回路２の周波数変換器２３は、信号合成部１５から合成信号を受けると、その周波数を例えば中間周波数などにダウンコンバートする。
Ａ／Ｄ変換器２４は、周波数変換器２３により周波数が変換された合成信号をデジタル信号に変換して、そのデジタル信号を振幅位相検出器２５に出力する。
振幅位相検出器２５は、Ａ／Ｄ変換器２４からデジタル信号を受けると、そのデジタル信号の振幅ＡＩを検出するとともに、そのデジタル信号の位相θＩを検出する。
振幅位相記録部２６は、振幅位相検出器２５がデジタル信号の振幅ＡＩ及び位相θＩを検出すると、利得制御部２２から出力された制御コードＷｃ＝２Ｎ−１と、その振幅ＡＩ及び位相θＩとの組を記録する（ステップＳＴ７）。
以下、制御コードＷｃ＝２Ｎ−１のときの振幅ＡＩ及び位相θＩを、必要に応じて、振幅ＡＩ（２Ｎ−１）及び位相θＩ（２Ｎ−１）のように表記することがある。
【００３４】
テーブル校正部２７は、振幅位相記録部２６に記録されている移相量が０°のときの位相θＩ（０）と、移相量が１８０°のときの位相θＩ（２Ｎ−１）とから、下記の式（５）に示すように、その位相θＩ（０）と位相θＩ（２Ｎ−１）の位相差Δθ２を算出する。
Δθ２＝｜θＩ（０）−θＩ（２Ｎ−１）｜      （５）
テーブル校正部２７は、位相差Δθ２を算出すると、下記の式（６）に示すように、その位相差Δθ２の理想値１８０°からの誤差、即ち、図３に示している移相誤差αを算出して、その移相誤差αを振幅位相記録部２６に記録する（図２のステップＳＴ８）。
α＝Δθ２−１８０                            （６）
【００３５】
次に、移相精度校正回路２の利得制御部２２は、テーブル部２１に記憶されているテーブルを参照して、２７０°の移相量に対応する制御コードＷｃと組になっている符号信号ＰＩ，ＰＱ及び利得ＧＩ，ＧＱを取得する。
即ち、利得制御部２２は、２７０°の移相量に対応する制御コードＷｃは２Ｎ−１＋２Ｎ−２であるため、Ｗｃ＝２Ｎ−１＋２Ｎ−２に対応している（ＰＩ，ＰＱ）＝（−１，−１）と、（ＧＩ（２Ｎ−１＋２Ｎ−２），ＧＱ（２Ｎ−１＋２Ｎ−２））＝（０，１）とを取得する。
利得制御部２２は、符号信号（ＰＩ，ＰＱ）＝（−１，−１）と、利得（ＧＩ（２Ｎ−１＋２Ｎ−２），ＧＱ（２Ｎ−１＋２Ｎ−２））＝（０，１）とを取得すると、符号信号ＰＩ＝−１と利得ＧＩ（２Ｎ−１＋２Ｎ−２）＝０を可変利得増幅器１３に設定し、符号信号ＰＱ＝−１と利得ＧＱ（２Ｎ−１＋２Ｎ−２）＝１を可変利得増幅器１４に設定する（図２のステップＳＴ９）。また、利得制御部２２は、制御コードＷｃ＝２Ｎ−１＋２Ｎ−２を振幅位相記録部２６に出力する。
【００３６】
ベクトル合成移相部１の直交信号生成部１１は、入力信号である差動のＲＦ信号から互いに直交しているＩ信号とＱ信号を生成し、差動のＩ信号を可変利得増幅器１３に出力して、差動のＱ信号を可変利得増幅器１４に出力する。
可変利得増幅器１３は、利得制御部２２によって設定された利得ＧＩ（Ｗｃ）がＧＩ（２Ｎ−１＋２Ｎ−２）＝０であるため、直交信号生成部１１から差動のＩ信号を受けても、Ｉ信号を信号合成部１５に出力しない。
可変利得増幅器１４は、直交信号生成部１１から差動のＱ信号を受けると、利得制御部２２によって設定された符号信号がＰＱ＝−１で、利得ＧＱ（Ｗｃ）がＧＱ（２Ｎ−１＋２Ｎ−２）＝１であるため、そのＱ信号を最大利得で増幅して符号を反転し、符号が反転している増幅後のＱ信号を信号合成部１５に出力する。
信号合成部１５は、可変利得増幅器１３から差動のＩ信号が出力されないため、可変利得増幅器１４から増幅された差動のＱ信号を受けると、差動のＱ信号を合成信号として出力する。
【００３７】
移相精度校正回路２の周波数変換器２３は、信号合成部１５から合成信号を受けると、その周波数を例えば中間周波数などにダウンコンバートする。
Ａ／Ｄ変換器２４は、周波数変換器２３により周波数が変換された合成信号をデジタル信号に変換して、そのデジタル信号を振幅位相検出器２５に出力する。
振幅位相検出器２５は、Ａ／Ｄ変換器２４からデジタル信号を受けると、そのデジタル信号の振幅ＡＱを検出するとともに、そのデジタル信号の位相θＱを検出する。
振幅位相記録部２６は、振幅位相検出器２５がデジタル信号の振幅ＡＱ及び位相θＱを検出すると、利得制御部２２から出力された制御コードＷｃ＝２Ｎ−１＋２Ｎ−２と、その振幅ＡＱ及び位相θＱとの組を記録する（ステップＳＴ１０）。
以下、制御コードＷｃ＝２Ｎ−１＋２Ｎ−２のときの振幅ＡＱ及び位相θＱを、必要に応じて、振幅ＡＱ（２Ｎ−１＋２Ｎ−２）及び位相θＱ（２Ｎ−１＋２Ｎ−２）のように表記することがある。
【００３８】
テーブル校正部２７は、振幅位相記録部２６に記録されている移相量が１８０°のときの振幅ＡＩ（２Ｎ−１）と、移相量が２７０°のときの振幅ＡＱ（２Ｎ−１＋２Ｎ−２）とから、下記の式（７）に示すように、振幅ＡＩ（２Ｎ−１）に対する振幅ＡＱ（２Ｎ−１＋２Ｎ−２）の振幅比ＡＱ／Ｉ２を算出して、その振幅比ＡＱ／Ｉ２を振幅位相記録部２６に記録する。
2017149699.tif 000005
また、テーブル校正部２７は、振幅位相記録部２６に記録されている移相量が０°のときの位相θＩ（０）と、移相量が２７０°のときの位相θＱ（２Ｎ−１＋２Ｎ−２）とから、下記の式（８）に示すように、その位相θＩ（０）と位相θＱ（２Ｎ−１＋２Ｎ−２）の位相差Δθ３を算出する。
Δθ３＝｜θＩ（０）−θＱ（２Ｎ−１＋２Ｎ−２）｜    （８）
テーブル校正部２７は、位相差Δθ３を算出すると、下記の式（９）に示すように、その位相差Δθ３の理想値２７０°からの誤差、即ち、図３に示している移相誤差γを算出して、その移相誤差γを振幅位相記録部２６に記録する（図２のステップＳＴ１１）。
γ＝Δθ３−２７０                  （９）
【００３９】
次に、テーブル校正部２７は、振幅位相記録部２６に記録されている移相量が０°のときの符号信号（ＰＩ，ＰＱ）及び利得（ＧＩ，ＧＱ）と、移相量が９０°のときの符号信号（ＰＩ，ＰＱ）及び利得（ＧＩ，ＧＱ）と、移相量が１８０°のときの符号信号（ＰＩ，ＰＱ）及び利得（ＧＩ，ＧＱ）と、移相量が２７０°のときの符号信号（ＰＩ，ＰＱ）及び利得（ＧＩ，ＧＱ）と、移相誤差α，β，γと、振幅比ＡＱ／Ｉ１，ＡＱ／Ｉ２とを用いて、下記の式（１０）〜式（１３）に示すように、ベクトル合成移相部１の移相特性ａｒｇＯＵＴを特定する（図２のステップＳＴ１２）。
（１）Ｗｃ＝０〜２Ｎ−２−１の場合
2017149699.tif 000006
（２）Ｗｃ＝２Ｎ−２〜２Ｎ−１−１の場合
2017149699.tif 000007
（３）Ｗｃ＝２Ｎ−１〜２Ｎ−１＋２Ｎ−２−１の場合
2017149699.tif 000008
（４）Ｗｃ＝２Ｎ−１＋２Ｎ−２〜２Ｎ−１の場合
2017149699.tif 000009
【００４０】
テーブル校正部２７は、ベクトル合成移相部１の移相特性ａｒｇＯＵＴを特定すると、その移相特性ａｒｇＯＵＴを用いて、下記の式（１４）〜式（１７）に示すような評価関数Ｅ（Ｗｃ）を定義する。
（１）Ｗｃ＝０〜２Ｎ−２−１の場合
2017149699.tif 000010
（２）Ｗｃ＝２Ｎ−２〜２Ｎ−１−１の場合
2017149699.tif 000011
（３）Ｗｃ＝２Ｎ−１〜２Ｎ−１＋２Ｎ−２−１の場合
2017149699.tif 000012
（４）Ｗｃ＝２Ｎ−１＋２Ｎ−２〜２Ｎ−１の場合
2017149699.tif 000013
【００４１】
テーブル校正部２７は、評価関数Ｅ（Ｗｃ）を定義すると、移相量が３６０°／２Ｎの切替幅で切り替わる０〜３６０°の移相量に対応する制御コードＷｃ毎に、その評価関数Ｅ（Ｗｃ）が最小になる可変利得増幅器１３，１４の利得ＧＩ（Ｗｃ），ＧＱ（Ｗｃ）を求める。
評価関数Ｅ（Ｗｃ）が最小になる利得ＧＩ（Ｗｃ），ＧＱ（Ｗｃ）を求める処理は、いわゆる最適化問題を解く処理に相当し、最適化問題を解く手法としては、どのような手法を用いてもよいが、例えば、遺伝的アルゴリズムなどを用いることができる。
【００４２】
テーブル校正部２７は、制御コードＷｃ毎に、評価関数Ｅ（Ｗｃ）が最小になる可変利得増幅器１３，１４の利得ＧＩ（Ｗｃ），ＧＱ（Ｗｃ）を求めると、テーブル部２１内のテーブルに記録されている制御コードＷｃに対応する利得ＧＩ（Ｗｃ），ＧＱ（Ｗｃ）を、求めた利得ＧＩ（Ｗｃ），ＧＱ（Ｗｃ）に書き換えることで、制御コードＷｃと利得ＧＩ（Ｗｃ），ＧＱ（Ｗｃ）との関係を校正する（図２のステップＳＴ１３）。
【００４３】
ここで、図５はテーブル校正部２７により利得が校正される前後の移相量の特性を示す説明図である。
利得が校正される前の移相量の特性は、移相誤差を有しているため、移相量の特性が波打っているが、利得が校正された後の移相量の特性は、移相誤差が解消されているため、移相量の特性が直線的になっている。
【００４４】
次に、ＲＦ信号からＩ信号とＱ信号を生成して、Ｉ信号とＱ信号の合成信号を出力する通常の移相器としての処理内容を説明する。
利得制御部２２は、外部から所望の移相量に対応する制御コードＷｃを受けると、テーブル部２１に記憶されているテーブルを参照して、その制御コードＷｃに対応している符号信号ＰＩ，ＰＱ及び利得ＧＩ，ＧＱを取得する。
例えば、所望の移相量が９０°であれば、Ｗｃ＝２Ｎ−２に対応している符号信号（ＰＩ，ＰＱ）＝（−１，１）と、利得（ＧＩ（２Ｎ−２），ＧＱ（２Ｎ−２））とを取得する。この利得（ＧＩ（２Ｎ−２），ＧＱ（２Ｎ−２））は、先に書き換えられている利得である。
利得制御部２２は、その制御コードＷｃに対応している符号信号ＰＩ，ＰＱ及び利得ＧＩ，ＧＱを取得すると、その符号信号ＰＩと利得ＧＩを可変利得増幅器１３に設定し、符号信号ＰＱと利得ＧＱを可変利得増幅器１４に設定する。
【００４５】
ベクトル合成移相部１の直交信号生成部１１は、入力信号である差動のＲＦ信号から互いに直交しているＩ信号とＱ信号を生成し、差動のＩ信号を可変利得増幅器１３に出力して、差動のＱ信号を可変利得増幅器１４に出力する。
可変利得増幅器１３は、直交信号生成部１１から差動のＩ信号を受けると、利得制御部２２によって設定された利得ＧＩ及び符号信号ＰＩが示す極性で、そのＩ信号を増幅し、増幅後のＩ信号を信号合成部１５に出力する。
可変利得増幅器１４は、直交信号生成部１１から差動のＱ信号を受けると、利得制御部２２によって設定された利得ＧＱ及び符号信号ＰＱが示す極性で、そのＱ信号を増幅し、増幅後のＱ信号を信号合成部１５に出力する。
信号合成部１５は、可変利得増幅器１３から増幅された差動のＩ信号を受け、可変利得増幅器１４から増幅された差動のＱ信号を受けると、そのＩ信号とＱ信号を合成し、そのＩ信号とＱ信号の合成信号を出力する。
【００４６】
以上で明らかなように、この実施の形態１によれば、テーブル校正部２７が、振幅位相記録部２６の記録内容からベクトル合成移相部１の移相特性ａｒｇＯＵＴを特定し、その移相特性ａｒｇＯＵＴを用いて、テーブル部２１に記録されている制御コードＷｃと、利得ＧＩ（Ｗｃ），ＧＱ（Ｗｃ）との関係を校正するように構成したので、ベクトル合成移相部１の移相精度を改善することができる効果を奏する。
即ち、この実施の形態１によれば、ベクトル合成移相部１における信号線路上に、新たな回路を付加することなく、制御コードＷｃと、利得ＧＩ（Ｗｃ），ＧＱ（Ｗｃ）との関係を校正することができる。このため、新たな回路の付加に伴う特性劣化の影響を受けることなく、製造ばらつき等に伴う移相誤差を解消することができる。したがって、ベクトル合成型移相器の歩留まりを高めることができる。
【００４７】
この実施の形態１では、移相精度校正回路２が、テーブル部２１のテーブルに記録されている制御コードＷｃと、利得ＧＩ（Ｗｃ），ＧＱ（Ｗｃ）との関係を校正する際、利得制御部２２が、０°，９０°，１８０°，２７０°の移相量に対応する制御コードＷｃと組になっている符号信号ＰＩ，ＰＱ及び利得ＧＩ，ＧＱを取得して、その符号信号ＰＩと利得ＧＩを可変利得増幅器１３に設定し、その符号信号ＰＱと利得ＧＱを可変利得増幅器１４に設定するものを示している。
しかし、移相精度校正回路２が取得する符号信号ＰＩ，ＰＱ及び利得ＧＩ，ＧＱは、０°，９０°，１８０°，２７０°の移相量に対応する制御コードＷｃと組になっている符号信号ＰＩ，ＰＱ及び利得ＧＩ，ＧＱに限るものではない。
即ち、０°≦移相量＜９０°の移相量と、９０°≦移相量＜１８０°の移相量と、１８０°≦移相量＜２７０°の移相量と、２７０°≦移相量＜３６０°の移相量とに対応する制御コードＷｃと組になっている符号信号ＰＩ，ＰＱ及び利得ＧＩ，ＧＱをそれぞれ取得すれば、上記実施の形態１と同様に、ベクトル合成移相部１の移相特性ａｒｇＯＵＴを特定して、テーブル部２１のテーブルに記録されている制御コードＷｃと、利得ＧＩ（Ｗｃ），ＧＱ（Ｗｃ）との関係を校正することができる。
【００４８】
実施の形態２．
上記実施の形態１では、テーブル校正部２７が、移相量が０°のときの振幅ＡＩ（０）と、移相量が９０°のときの振幅ＡＱ（２Ｎ−２）とから、振幅ＡＩ（０）に対する振幅ＡＱ（２Ｎ−２）の振幅比ＡＱ／Ｉ１を算出するとともに、移相量が１８０°のときの振幅ＡＩ（２Ｎ−１）と、移相量が２７０°のときの振幅ＡＱ（２Ｎ−１＋２Ｎ−２）とから、振幅ＡＩ（２Ｎ−１）に対する振幅ＡＱ（２Ｎ−１＋２Ｎ−２）の振幅比ＡＱ／Ｉ２を算出するものを示している。
しかし、振幅比ＡＱ／Ｉ１は、移相量が０°のときの振幅ＡＩ（０）と、移相量が９０°のときの振幅ＡＱ（２Ｎ−２）とから算出するものに限るものではなく、例えば、移相量が０°のときの振幅ＡＩ（０）と、０°＜移相量＜１８０°の移相量のときの振幅ＡＱから算出するものであってもよい。
また、振幅比ＡＱ／Ｉ２は、移相量が１８０°のときの振幅ＡＩ（２Ｎ−１）と、移相量が２７０°のときの振幅ＡＱ（２Ｎ−１＋２Ｎ−２）とから算出するものに限るものではなく、例えば、移相量が１８０°のときの振幅ＡＩ（２Ｎ−１）と、１８０°＜移相量＜３６０°の移相量のときの振幅ＡＱから算出するものであってもよい。
【００４９】
この実施の形態２では、移相量が０°のときの振幅ＡＩ（０）と、移相量が４５°のときの振幅ＡＱ（２Ｎ−３）とから、振幅ＡＩ（０）に対する振幅ＡＱ（２Ｎ−３）の振幅比ＡＱ／Ｉ１を算出し、移相量が１８０°のときの振幅ＡＩ（２Ｎ−１）と、移相量が２２５°のときの振幅ＡＱ（２Ｎ−１＋２Ｎ−３）とから、振幅ＡＩ（２Ｎ−１）に対する振幅ＡＱ（２Ｎ−１＋２Ｎ−３）の振幅比ＡＱ／Ｉ２を算出する例を説明する。
【００５０】
具体的には、以下の通りである。
移相精度校正回路２の利得制御部２２は、テーブル部２１に記憶されているテーブルを参照して、４５°の移相量に対応する制御コードＷｃと組になっている符号信号ＰＩ，ＰＱ及び利得ＧＩ，ＧＱを取得する。
即ち、利得制御部２２は、４５°の移相量に対応する制御コードＷｃは２Ｎ−３であるため、Ｗｃ＝２Ｎ−３に対応している（ＰＩ，ＰＱ）＝（１，１）と、（ＧＩ（２Ｎ−３），ＧＱ（２Ｎ−３））＝（１／√２，１／√２）とを取得する。
利得制御部２２は、符号信号（ＰＩ，ＰＱ）＝（１，１）と、利得（（ＧＩ（２Ｎ−３），ＧＱ（２Ｎ−３））＝（１／√２，１／√２）とを取得すると、符号信号ＰＩ＝１と利得ＧＩ（２Ｎ−３）＝１／√２を可変利得増幅器１３に設定し、符号信号ＰＱ＝１と利得ＧＱ（２Ｎ−３）＝１／√２を可変利得増幅器１４に設定する。また、利得制御部２２は、制御コードＷｃ＝２Ｎ−３を振幅位相記録部２６に出力する。
【００５１】
ベクトル合成移相部１の直交信号生成部１１は、入力信号である差動のＲＦ信号から互いに直交しているＩ信号とＱ信号を生成し、差動のＩ信号を可変利得増幅器１３に出力して、差動のＱ信号を可変利得増幅器１４に出力する。
可変利得増幅器１３は、直交信号生成部１１から差動のＩ信号を受けると、利得制御部２２によって設定された符号信号がＰＩ＝１で、利得ＧＩ（Ｗｃ）がＧＩ（２Ｎ−３）＝１／√２であるため、そのＩ信号の符号を反転せずに、そのＩ信号を１／√２の利得で増幅し、増幅後のＩ信号を信号合成部１５に出力する。
可変利得増幅器１４は、直交信号生成部１１から差動のＱ信号を受けると、利得制御部２２によって設定された符号信号がＰＱ＝１で、利得ＧＱ（Ｗｃ）がＧＱ（２Ｎ−３）＝１／√２であるため、そのＱ信号の符号を反転せずに、そのＱ信号を１／√２の利得で増幅し、増幅後のＱ信号を信号合成部１５に出力する。
信号合成部１５は、可変利得増幅器１３から増幅された差動のＩ信号を受け、可変利得増幅器１４から増幅された差動のＱ信号を受けると、そのＩ信号とＱ信号を合成し、そのＩ信号とＱ信号の合成信号を出力する。
【００５２】
移相精度校正回路２の周波数変換器２３は、信号合成部１５から合成信号を受けると、その周波数を例えば中間周波数などにダウンコンバートする。
Ａ／Ｄ変換器２４は、周波数変換器２３により周波数が変換された合成信号をデジタル信号に変換して、そのデジタル信号を振幅位相検出器２５に出力する。
振幅位相検出器２５は、Ａ／Ｄ変換器２４からデジタル信号を受けると、そのデジタル信号の位相θ４５を検出する。
振幅位相記録部２６は、振幅位相検出器２５がデジタル信号の位相θ４５を検出すると、利得制御部２２から出力された制御コードＷｃ＝２Ｎ−３と、その位相θ４５との組を記録する。
以下、制御コードＷｃ＝２Ｎ−３のときの位相θ４５を、位相θ４５（２Ｎ−３）のように表記する。
【００５３】
テーブル校正部２７は、振幅位相記録部２６に記録されている移相量が０°のときの位相θＩ（０）と、移相量が４５°のときの位相θ４５（２Ｎ−３）とから、下記の式（１８）に示すように、その位相θＩ（０）と位相θ４５（２Ｎ−３）の位相差Δθ４を算出する。
Δθ４＝｜θＩ（０）−θ４５（２Ｎ−３）｜    （１８）
テーブル校正部２７は、位相差Δθ４を算出すると、下記の式（１９）に示すように、その位相差Δθ４の理想値４５°からの誤差、即ち、移相誤差δ１を算出して、その移相誤差δ１を振幅位相記録部２６に記録する。
δ１＝Δθ４−４５              （１９）
【００５４】
テーブル校正部２７は、振幅位相記録部２６に記録されている移相誤差α，β，δ１を用いて、下記の式（２０）に示すように、振幅比ＡＱ／Ｉ１を算出して、その振幅比ＡＱ／Ｉ１を振幅位相記録部２６に記録する。
2017149699.tif 000014
【００５５】
移相精度校正回路２の利得制御部２２は、テーブル部２１に記憶されているテーブルを参照して、２２５°の移相量に対応する制御コードＷｃと組になっている符号信号ＰＩ，ＰＱ及び利得ＧＩ，ＧＱを取得する。
即ち、利得制御部２２は、２２５°の移相量に対応する制御コードＷｃは２Ｎ−１＋２Ｎ−３であるため、Ｗｃ＝２Ｎ−１＋２Ｎ−３に対応している（ＰＩ，ＰＱ）＝（−１，−１）と、（ＧＩ（２Ｎ−１＋２Ｎ−３），ＧＱ（２Ｎ−１＋２Ｎ−３））＝（１／√２，１／√２）とを取得する。
利得制御部２２は、符号信号（ＰＩ，ＰＱ）＝（−１，−１）と、利得（（ＧＩ（２Ｎ−１＋２Ｎ−３），ＧＱ（２Ｎ−１＋２Ｎ−３））＝（１／√２，１／√２）とを取得すると、符号信号ＰＩ＝−１と利得ＧＩ（２Ｎ−１＋２Ｎ−３）＝１／√２を可変利得増幅器１３に設定し、符号信号ＰＱ＝−１と利得ＧＱ（２Ｎ−１＋２Ｎ−３）＝１／√２を可変利得増幅器１４に設定する。また、利得制御部２２は、制御コードＷｃ＝２Ｎ−１＋２Ｎ−３を振幅位相記録部２６に出力する。
【００５６】
ベクトル合成移相部１の直交信号生成部１１は、入力信号である差動のＲＦ信号から互いに直交しているＩ信号とＱ信号を生成し、差動のＩ信号を可変利得増幅器１３に出力して、差動のＱ信号を可変利得増幅器１４に出力する。
可変利得増幅器１３は、直交信号生成部１１から差動のＩ信号を受けると、利得制御部２２によって設定された符号信号がＰＩ＝−１で、利得ＧＩ（Ｗｃ）がＧＩ（２Ｎ−１＋２Ｎ−３）＝１／√２であるため、そのＩ信号を１／√２の利得で増幅して符号を反転し、符号が反転している増幅後のＩ信号を信号合成部１５に出力する。
可変利得増幅器１４は、直交信号生成部１１から差動のＱ信号を受けると、利得制御部２２によって設定された符号信号がＰＱ＝−１で、利得ＧＱ（Ｗｃ）がＧＱ（２Ｎ−１＋２Ｎ−３）＝１／√２であるため、そのＱ信号を１／√２の利得で増幅して符号を反転し、符号が反転している増幅後のＱ信号を信号合成部１５に出力する。
信号合成部１５は、可変利得増幅器１３から増幅された差動のＩ信号を受け、可変利得増幅器１４から増幅された差動のＱ信号を受けると、そのＩ信号とＱ信号を合成し、そのＩ信号とＱ信号の合成信号を出力する。
【００５７】
移相精度校正回路２の周波数変換器２３は、信号合成部１５から合成信号を受けると、その周波数を例えば中間周波数などにダウンコンバートする。
Ａ／Ｄ変換器２４は、周波数変換器２３により周波数が変換された合成信号をデジタル信号に変換して、そのデジタル信号を振幅位相検出器２５に出力する。
振幅位相検出器２５は、Ａ／Ｄ変換器２４からデジタル信号を受けると、そのデジタル信号の位相θ２２５を検出する。
振幅位相記録部２６は、振幅位相検出器２５がデジタル信号の位相θ２２５を検出すると、利得制御部２２から出力された制御コードＷｃ＝２Ｎ−１＋２Ｎ−３と、その位相θ２２５との組を記録する。
以下、制御コードＷｃ＝２Ｎ−１＋２Ｎ−３のときの位相θ２２５を、位相θ２２５（２Ｎ−１＋２Ｎ−３）のように表記する。
【００５８】
テーブル校正部２７は、振幅位相記録部２６に記録されている移相量が１８０°のときの位相θＩ（２Ｎ−１）と、移相量が２２５°のときの位相θ２２５（２Ｎ−１＋２Ｎ−３）とから、下記の式（２１）に示すように、その位相θＩ（２Ｎ−１）と位相θ２２５（２Ｎ−１＋２Ｎ−３）の位相差Δθ５を算出する。
Δθ５
＝｜θＩ（２Ｎ−１）−θ２２５（２Ｎ−１＋２Ｎ−３）｜    （２１）
テーブル校正部２７は、位相差Δθ５を算出すると、下記の式（２２）に示すように、その位相差Δθ５の理想値４５°（＝２２５−１８０°）からの誤差、即ち、移相誤差δ２を算出して、その移相誤差δ２を振幅位相記録部２６に記録する。
δ２＝Δθ５−４５              （２２）
【００５９】
テーブル校正部２７は、振幅位相記録部２６に記録されている移相誤差α，γ，δ２を用いて、下記の式（２３）に示すように、振幅比ＡＱ／Ｉ２を算出して、その振幅比ＡＱ／Ｉ２を振幅位相記録部２６に記録する。
2017149699.tif 000015
その他は、上記実施の形態１と同様であるため詳細な説明を省略する。
【００６０】
この実施の形態２でも、上記実施の形態１と同様に、ベクトル合成移相部１の移相精度を改善することができる効果を奏する。
即ち、この実施の形態２によれば、ベクトル合成移相部１における信号線路上に、新たな回路を付加することなく、制御コードＷｃと、利得ＧＩ（Ｗｃ），ＧＱ（Ｗｃ）との関係を校正することができるため、新たな回路の付加に伴う特性劣化の影響を受けることなく、製造ばらつき等に伴う移相誤差を解消することができる。このため、ベクトル合成型移相器の歩留まりを高めることができる。
【００６１】
なお、本願発明はその発明の範囲内において、各実施の形態の自由な組み合わせ、あるいは各実施の形態の任意の構成要素の変形、もしくは各実施の形態において任意の構成要素の省略が可能である。
【産業上の利用可能性】
【００６２】
この発明に係る移相精度校正回路は、ベクトル合成型移相器の移相精度を校正するものに適している。
【符号の説明】
【００６３】
１  ベクトル合成移相部、２  移相精度校正回路、１１  直交信号生成部、１２  ベクトル信号合成器、１３  可変利得増幅器（第１の可変利得増幅器）、１４  可変利得増幅器（第２の可変利得増幅器）、１５  信号合成部、２１  テーブル部、２２  利得制御部、２３  周波数変換器、２４  Ａ／Ｄ変換器、２５  振幅位相検出器（検出器）、２６  振幅位相記録部（記録部）、２７  テーブル校正部。
【図１】
2017149699.tif 000016
【図２】
2017149699.tif 000017
【図３】
2017149699.tif 000018
【図４】
2017149699.tif 000019
【図５】
2017149699.tif 000020
【国際調査報告】
2017149699.tif 000021
2017149699.tif 000022
2017149699.tif 000023
2017149699.tif 000024